(57)【要約】  【課題】カラオケルームの利用時、数に限りのある特別な注文手段を必要とせず、特定の人に負担をかけることなく、さらに、人の声が聞き取り難いカラオケルームであっても何ら不都合がなく、各利用者自らが所望する飲食物のルームサービスを簡単かつ効率的に注文できるシステムの提供。  【解決手段】ＷＷＷサーバ（５）が提供する所定のモバイルＷｅｂサイト（Ｍｓ）に、カラオケルームの利用者が自らの利用者携帯端末（４）をもってアクセスし、このモバイルＷｅｂサイト（４）に掲載されたルームサービスメニューから利用者が所望するメニューアイテムを選択させ、選択されたメニューアイテムデータをカラオケルームに設置されたカラオケ演奏端末（３）に送信可能とし、このメニューアイテムデータを各カラオケルームへのルームサービスを統括管理するためのルームサービス管理手段（２）に転送するシステムを構築した。【選択図】図２
2006071714.tif 000002
【特許請求の範囲】
【請求項１】
所定のモバイルＷｅｂサイトを提供するためのＷＷＷサーバと、当該モバイルＷｅｂサイトにアクセス可能な利用者携帯端末と、当該携帯端末と通信可能とされたカラオケ演奏端末と、当該カラオケ演奏端末と回線接続され、各カラオケルームへのルームサービスを統括管理するためのルームサービス管理手段からなり、
（ア）前記モバイルＷｅｂサイトは、前記カラオケルームにて提供できる飲食物のメニューアイテムを表示したルームサービスメニューを掲載してなり、
（イ）前記利用者携帯端末は、前記モバイルＷｅｂサイトに掲載されたルームサービスメニューから任意のメニューアイテムを選択可能とされてなると共に、選択されたメニューアイテムデータを前記カラオケ演奏端末に送信可能とされてなり、
（ウ）前記カラオケ演奏端末は、送信されたメニューアイテムデータを、さらに前記ルームサービス管理手段に転送可能とされてなる、
カラオケルームサービスシステム。
【請求項２】
前記ＷＷＷサーバと前記ルームサービス管理手段とが回線接続されてなると共に、当該ルームサービス管理手段は、当該ＷＷＷサーバが提供する前記モバイルＷｅｂサイトのルームサービスメニューを直接的に掲載可能とされてなる請求項１記載のカラオケルームサービスシステム。
【発明の詳細な説明】
【技術分野】
【０００１】
本発明は、カラオケ演奏端末を備えたカラオケルームの利用時、各ルームにて飲食物のルームサービスを提供するためのカラオケルームサービスに関わるシステムに関する。
【背景技術】
【０００２】
近年、多数のカラオケルームを設置した、通称「カラオケボックス」と呼ばれる店舗が多く見られるようになり、かつては夜の酒場でのアトラクション的な要素を含んでいたカラオケも、今では老若男女を問わずに多くの人達が楽しめるようになった。そして、従来のカラオケルームでは、カラオケ演奏の提供だけでなく、飲食物のルームサービスも行われ、一般的にインターフォンや内線電話などを利用し、店舗従業員に対してルームサービスの注文をしていた。
【０００３】
従来では、飲食物のルームサービスに関する技術も多々想到されている。これらは、インターフォンや内線電話などを必要としないもので、例えば、特許文献１では、カラオケ演奏装置に飲食物などの注文コードの入力手段を設け、この注文コードを所定の管理装置に返信し、顧客からの注文の受付けを効率的に行うカラオケシステムが開示されている。さらに、特許文献２では、カラオケＬＡＮシステムを利用することにより、カラオケ選曲と同じ手順で飲食物などの商品を注文できると共に、客室端末への注文受付応答を行えるクライアントサーバ型カラオケＬＡＮシステムが開示されている。あるいは、特許文献３では、カラオケ利用者がディスプレイに表示される飲食物の画像を見ながら操作を行い、所望の飲食物を選択して発注し、その発注された飲食物の注文データを印刷した注文券を発行する技術が開示されている。
【特許文献１】特開平８−１１６５７６号公報
【特許文献２】特開平１０−１６１６７０号公報
【特許文献３】特開平１１−６６１５５号公報
【発明の開示】
【発明が解決しようとする課題】
【０００４】
しかしながら、カラオケルームでのルームサービスの注文は、インターフォンや内線電話などを利用しても、あるいは、これらを利用せずに上記技術をもって行ったとしても、特に多人数で利用した場合には非常に不便な面がある。例えば、人数が多いと一般的に何回ものルームサービスの注文が発生するが、これら注文手段は各部屋に通常１〜２つ程度しかなく、これらルームサービスを注文する際、注文手段と位置的に近い人が注文者を代表して注文しなければならず、特に負担がかかる。すなわち、従来では、カラオケルームに設置された数に限りのある注文手段では、特定の人に負担をかけるという不都合があった。さらに、ラオケルームではカラオケ演奏や歌唱の大音響によって、人の声が聞き取り難いため、代表して注文する人が注文者の声を聞き取り難いといった問題もある。
【０００５】
そこで、本発明は、カラオケルームの利用時、数に限りのある特別な注文手段を必要とせず、特定の人に負担をかけることなく、さらに、人の声が聞き取り難いカラオケルームであっても何ら不都合がなく、各利用者自らが所望する飲食物のルームサービスを簡単かつ効率的に注文できるシステムの提供を課題とする。
【課題を解決するための手段】
【０００６】
上記課題を鑑み、本発明者は、ＨＴＴＰ(Hyper
Text Transfer Protocol)を利用したＷＷＷ（World
Wide Web）サーバが提供する所定のモバイルＷｅｂサイトに、カラオケルームの利用者が自らの利用者携帯端末、例えば、携帯電話やＰＤＡ（Personal Digital Assistant）をもってアクセスし、このモバイルＷｅｂサイトに掲載されたルームサービスメニューから利用者が所望するメニューアイテムを選択させ、選択されたメニューアイテムデータをカラオケルームに設置されたカラオケ演奏端末に送信可能とし、このメニューアイテムデータを、各カラオケルームへのルームサービスを統括管理するためのルームサービス管理手段に転送するシステムを構築することで、上記課題を解決できることを見出し、本発明のカラオケルームサービスシステムを想到した。
【０００７】
すなわち、本発明の請求項１記載のカラオケルームサービスシステムは、所定のモバイルＷｅｂサイトを提供するためのＷＷＷサーバと、当該モバイルＷｅｂサイトにアクセス可能な利用者携帯端末と、当該携帯端末と通信可能とされたカラオケ演奏端末と、当該カラオケ演奏端末と回線接続され、各カラオケルームへのルームサービスを統括管理するためのルームサービス管理手段からなり、
（ア）前記モバイルＷｅｂサイトは、前記カラオケルームにて提供できる飲食物のメニューアイテムを表示したルームサービスメニューを掲載してなり、
（イ）前記利用者携帯端末は、前記モバイルＷｅｂサイトに掲載されたルームサービスメニューから任意のメニューアイテムを選択可能とされてなると共に、選択されたメニューアイテムデータを前記カラオケ演奏端末に送信可能とされてなり、
（ウ）前記カラオケ演奏端末は、送信されたメニューアイテムデータを、さらに前記ルームサービス管理手段に転送可能とされてなることを特徴とする。
【０００８】
さらに、本発明の請求項２記載のカラオケルームサービスシステムは、請求項１記載のカラオケルームサービスにおいて、前記ＷＷＷサーバと前記ルームサービス管理手段とが回線接続されてなると共に、当該ルームサービス管理手段は、当該ＷＷＷサーバが提供する前記モバイルＷｅｂサイトのルームサービスメニューを直接的に掲載可能とされてなることを特徴とする。
【発明の効果】
【０００９】
本発明の請求項１記載のカラオケルームサービスシステムによれば、カラオケルームの利用者は、自らの利用者携帯端末をもってルームサービスメニューが掲載されたモバイルＷｅｂサイトにアクセスし、利用者が選択した飲食物のメニューアイテムデータをカラオケ演奏端末に送信することで自ら直接注文ができるため、従来のように、数に限りのある特別な注文手段を必要とせず、特定の人に負担をかけることがない。また、人の声が聞き取り難いカラオケルームであっても何ら不都合がなく、各利用者自らが所望するルームサービスを簡単かつ効率的に注文できるといった効果を奏する。
【００１０】
さらに、本発明の請求項２記載のカラオケルームサービスシステムによれば、ルームサービス管理手段は、ＷＷＷサーバへモバイルＷｅｂサイトのルームサービスメニューを直接的に掲載可能であることから、ルームサービス管理手段が、所定のモバイルＷｅｂサイトに掲載させるルームサービスメニューを直接設定できるため、当該カラオケルームにおける注文の対象となるメニューアイテムの掲載が効率的であると共に掲載ミスの発生を抑えられ、また、性急なメニュー変更にも迅速に対応できるなどといった効果を奏する。
【発明を実施するための最良の形態】
【００１１】
以下、本発明のカラオケルームサービスシステムにつき、先ず、図１に示す、本発明のカラオケルームサービスシステムの概略的構成図を挙げ、請求項１および請求項２を含めた本システムの全体構成について説明する。
【実施例１】
【００１２】
図１は、本発明のカラオケルームサービスシステムの全体構成を示すもので、本実施例のカラオケルームサービスシステム（１）は、カラオケボックスの店舗内に設置された複数のカラオケルーム（Ｒ，Ｒ…）のそれぞれに備えられたカラオケ演奏端末（３，３…）と、これらと店舗内ＬＡＮ（Ｌ）を介して接続されたルームサービス管理手段（２）と、ルームサービスメニューが掲載されたモバイルＷｅｂサイトを提供するためのＷＷＷサーバ（５）と、当該モバイルＷｅｂサイトにアクセス可能な利用者携帯端末（携帯電話：４，４…）と、を主体としてなる。
【００１３】
ここで、本実施例におけるカラオケ演奏端末（３）について少々説明する。カラオケ演奏端末（３）には大容量のハードディスク装置（図示省略）が備えられ、これには多数のカラオケ楽曲のＭＩＤＩデータを主体とした伴奏音楽データや、歌詞画像の生成起源となる歌詞抽出データなどを含むカラオケデータ、さらには、所定形式の動画データや、動画データの処理シーケンス（処理すべき背景動画データの格納場所と処理順番）を規定した台本データや演奏可能なカラオケ楽曲についての曲名やアーティスト名、発表年、歌詞の歌い出し部分などの目次情報が格納されている。そして、各種機能手段を制御して演奏装置全体を統括管理している中央制御部（図示省略）が備えられ、この中央制御部は、上記各楽曲のカラオケデータ、台本データ、あるいは目次情報を曲番号によって識別し、これをカラオケデータベースとして管理している。
【００１４】
各カラオケ演奏端末（３，３…）は店舗内ＬＡＮ（Ｌ）に接続され、店舗内の情報処理システムに組み込まれており、ＬＡＮ（Ｌ）上の１台のコンピュータとして認識される。この情報処理システムは、店舗における会計や各カラオケルーム（Ｒ，Ｒ…）への入退室管理などの業務を行う管理コンピュータ（図示省略）などにより構成されていると共に、ＡＤＳＬやＩＳＤＮといった通信回線（Ｃ）介してインターネット（Ｎｉ）にも接続されており、カラオケ事業者が管理するＶＰＮ（Virtual Private Network）を用いて、通信カラオケシステム用のカラオケホスト装置（Ｈ）に接続している。
【００１５】
なお、カラオケホスト装置（Ｈ）はカラオケ事業者専用コンピュータであり、各カラオケ演奏端末（３，３…）に向けて新譜楽曲についてのカラオケデータ、台本データ、目次情報などを適時に配信したり、各カラオケ演奏端末（３，３…）にて随時収拾される稼働ログなどを集信したりする。そして、各カラオケ演奏端末（３，３…）の中央制御部は、ネットワークインタフェイスを介して店舗ＬＡＮ（Ｌ）およびＶＰＮに接続し、このカラオケホスト装置（Ｈ）と通信し、当該ホスト装置（Ｈ）から送付されたカラオケデータを受け取ってカラオケデータベースの内容を変更したり、カラオケ演奏端末（３）側にて収集される稼働ログなどの各種情報を当該ホスト装置（Ｈ）に送信したりする。
【００１６】
具体的には、本実施例では、店舗内に１００ＢＡＳＥ−Ｔ規格のEthernet（登録商標）によるＬＡＮ（Ｌ）が敷設されており、このＬＡＮ（Ｌ）上の各カラオケ演奏端末（３，３…）はルータ（６）を介してインターネット（Ｎｉ）上のＶＰＮに接続されている。また、ＬＡＮ（Ｌ）上のコンピュータ間の通信にもＴＣＰ／ＩＰが採用されており、ルータ（６）は、その内蔵するＤＨＣＰ（Dynamic Host Configuration Protocol）サーバ機能によって、ＬＡＮ（Ｌ）に接続されている各カラオケ演奏端末（３，３…）にＩＰアドレスを割り当て、各演奏端末（３，３…）のＭＡＣ（Media Access Control）アドレスとＩＰアドレスとを対応付けしたテーブルを作成して記憶している。
【００１７】
ルームサービス管理手段（２）は、各カラオケルーム（Ｒ，Ｒ…）へのルームサービスを統括管理するための機器であって、ルームサービス管理用データベース（ｄｂ）を付帯している。本実施例では、このルームサービス管理手段（２）もインターネット（Ｎｉ）上のＶＰＮを介して、ＷＷＷサーバ（５）に回線接続されており、ＷＷＷサーバ（５）が提供するルームサービスメニューを直接的に掲載可能とされている。なお、本発明は、これを特に限定されず、ルームサービスメニューは業務上支障のない限り、如何なる手段から掲載しても構わない。さらに、このルームサービス管理手段（２）は、店舗内ＬＡＮ（Ｌ）を介してＰＯＳ管理装置（Ｐｏ）にも接続されており、このＰＯＳ管理装置（Ｐｏ）にて各ルームサービスに伴う課金処理が並行して行われる。
【００１８】
本実施例の利用者携帯端末（４）はブラウザ機能付き携帯電話であって、携帯電話網（Personal Digital Cellular：ＰＤＣ）およびパケット携帯電話網（Personal Digital Cellular−Packet：ＰＤＣ−Ｐ）に接続可能とされている。このパケット携帯電話網（ＰＤＣ−Ｐ）は所定のゲートウェイシステム（図示省略）を介してインターネット（Ｎｉ）と接続しており、このパケット携帯電話網（ＰＤＣ−Ｐ）を経由して、ＷＷＷサーバ（５）が提供するルームサービスメニューが掲載されたモバイルＷｅｂサイトにアクセスできる。そして、本実施例の利用者携帯端末（４）にはＩｒＤＡ（Infrared Data Association ）信号の制御機構と送出機構（図示省略）が備えられており、アクセスしたモバイルＷｅｂサイトのルームサービスメニューから、利用者が選択したメニューアイテムデータをカラオケ演奏端末（３）に対して送信できる。そして、本発明では必ずしも必要としないが、本実施例では、この送信時、フラッシュメモリ（図示省略）に登録された利用者携帯端末ＩＤもメニューアイテムデータと一緒に送信される。
【００１９】
なお、携帯通信端末にてアクセスしたモバイルＷｅｂサイトを利用して入力したデータをカラオケ演奏端末へ送信する仕組みについては、例えば、携帯通信端末をもってリクエスト曲の検索や予約を行えるようにした「カラオケ楽曲選択システム」（特開２００３−２４８４９１号公報）や、携帯電話にリモコン用アダプタを接続して選曲する「カラオケ選曲用リモコン装置」（実案登録第３０８４７８６号）などにも開示されている。また、本実施例では、利用者携帯端末からカラオケ演奏端末にメニューアイテムデータを送信する手段としてＩｒＤＡ機構を利用しているが、本発明はこれに限定されず、例えば、近距離無線通信手段であるブルートゥース（blue tooth）機構などを利用しても構わない。また、当然のことながら、カラオケ演奏端末本体、あるいは、そのリモート操作手段としてなるカラオケリモコン装置には、これらの受信機構が備えられるものである。
【００２０】
次に、図２に示す、ルームサービス管理手段の概略的ブロック構成図と、図３に示す、ルームサービス管理用テーブルの概念的構成図と、図４に示す、ルームサービスメニューの表示画面に基づき、請求項１記載の（ア）から（ウ）の構成について詳述する。
【００２１】
図２は、本システムを構成するルームサービス管理手段のブロック構成図である。本実施例のルームサービス管理手段（２）は、カラオケルームに設置されたカラオケ演奏端末（３）とＬＡＮ（Ｌ）を経由して接続されていると共に、インターネット（Ｎｉ）を介して、ルームサービスメニューを掲載したモバイルＷｅｂサイト（Ｍｓ）を提供するＷＷＷサーバ（５）にも接続されている。そして、利用者が利用者携帯端末（４）をもって選択したメニューアイテムデータがカラオケ演奏端末（３）を介して通信制御手段（１０）にて受信されると、中央制御手段（１１）は、このデータをハードディスク内に設けられたルームサービス管理用データベース（ｄｂ）に記録する。
【００２２】
ルームサービス管理用データベース（ｄｂ）はルームサービス管理用テーブル（Ｔ）に基づき構成されており、さらに、このルームサービス管理用テーブル（Ｔ）は、図３に示すように、カラオケルームに備えられ、当該カラオケルームにて注文を受けたカラオケ演奏端末を特定するための「演奏装置ＩＤ」フィールド（ｆ１）と、このデータに紐付けされ、利用者携帯端末を、その電話番号や利用者設定ＩＤあるいはサブスクライバＩＤなどにより特定するための「利用者携帯端末ＩＤ」フィールド（ｆ２）、ルームサービスの注文時刻を示す「注文時刻」フィールド（ｆ３）、そして、その利用者が選択したメニューアイテムを注文の発生毎に特定するための「メニューアイテムＩＤ」フィールド（ｆ４）などから構成されている。
【００２３】
図４は、ブラウザ機能付き利用者携帯端末（４）における、モバイルＷｅｂサイトに掲載されたルームサービスメニューの表示画面（Ｄ）の一例であり、利用者が現に利用しているカラオケルームが提供できるルームサービスが紹介されている。この表示画面（Ｄ）には、飲食物の実際の写真などを付帯したメニューアイテムを紹介するためのメニューアイテム表示欄（ｄ１）や、利用者がフラグを立てることでルームサービスを選択ができる「ご注文」フラグ（ｄ２）などが設けられ、各利用者はこの表示画面（Ｄ）を見ながら、所望の飲食物のメニューアイテムを選択する。この選択されたメニューアイテムデータは「注文」アイコン（ｄ３）の指定をもって、当該利用者が現に利用しているカラオケルームに設置されたカラオケ演奏端末に送信される。そして、そのカラオケ演奏端末は、このメニューアイテムデータを受信すると、さらにルームサービス管理手段に転送し、ルームサービス管理手段がこれを受信すると、当該カラオケルームにおけるルームサービスが正式に受注される。
【００２４】
以上、詳述したように、本発明のカラオケルームサービスシステムによれば、カラオケルームの利用者は、自らの利用者携帯端末をもってルームサービスメニューが掲載されたモバイルＷｅｂサイトにアクセスし、利用者が選択した飲食物のメニューアイテムデータをカラオケ演奏端末に送信することで自ら直接注文ができるため、従来のように、数に限りのある特別な注文手段を必要とせず、特定の人に負担をかけることがない。また、人の声が聞き取り難いカラオケルームであっても何ら不都合がなく、各利用者自らが所望するルームサービスを簡単かつ効率的に注文できる。
【図面の簡単な説明】
【００２５】
【図１】本発明のカラオケルームサービスシステムの概略的構成図。
【図２】ルームサービス管理手段の概略的ブロック構成図。
【図３】ルームサービス管理用テーブルの概念的構成図。
【図４】ルームサービスメニューの表示画面。
【符号の説明】
【００２６】
１  カラオケルームサービスシステム
２  ルームサービス管理手段
３  カラオケ演奏端末
４  利用者携帯端末
５  ＷＷＷサーバ
ｄｂ  ルームサービス管理用データベース
Ｔ  ルームサービス管理用テーブル
Ｌ  ＬＡＮ
Ｎｉ  インターネット
Ｍｓ  モバイルＷｅｂサイト
【図１】
2006071714.tif 000003
【図２】
2006071714.tif 000004
【図３】
2006071714.tif 000005
【図４】
2006071714.tif 000006